(57)【要約】【課題】  画像処理装置で生成された画像データがサーバ装置に送信された後、サーバ装置のユーザが画像内容を見て処理方法を決定し、決定した処理方法を実行するための指示を画像処理装置に送信できるようにする。【解決手段】  画像処理装置は、新たに画像データを生成する画像データ生成部と、  新たに生成された画像データを自装置内に保存するとともに、当該画像データ及び属性情報を識別情報とともに外部のサーバ装置に送信する保存送信部と、自装置内に保存されている画像データを識別情報によって管理する管理部と、外部のサーバ装置からの識別情報を指定した画像処理コマンドにより、自装置内に保存されている画像データのうち識別情報に対応する画像データについて、画像処理コマンドに応じた処理を実行する処理実行部と、を備える。【選択図】  図２
2013191949.tif 000002
【特許請求の範囲】
【請求項１】
新たに画像データを生成する画像データ生成部と、
新たに生成された画像データを自装置内に保存するとともに、当該画像データ及び属性情報を識別情報とともに外部のサーバ装置に送信する保存送信部と、
自装置内に保存されている画像データを識別情報によって管理する管理部と、
外部のサーバ装置からの識別情報を指定した画像処理コマンドにより、自装置内に保存されている画像データのうち識別情報に対応する画像データについて、コマンドに応じた処理を実行する処理実行部と、を備える画像処理装置。
【請求項２】
外部のサーバ装置からの画像処理コマンドで指定された識別情報に対応する画像データが自装置内に保存されていない場合、画像処理コマンドの送信元である外部のサーバ装置に不存在レスポンスを返す返信部と、
画像処理コマンドの送信元である外部のサーバ装置から識別情報及び画像データとともに画像保存コマンドを受信した場合、受信した画像データを、受信した識別情報に関連付けて保存する新規保存部と、を備える請求項１に記載の画像処理装置。
【請求項３】
前記保存送信部は、新たに生成された画像データとともに属性情報を自装置内に保存し、
前記管理部は、自装置内に保存されている画像データ及び属性情報を識別情報によって管理する請求項１又は２に記載の画像処理装置。
【請求項４】
画像処理装置と、当該画像処理装置と通信可能に接続されたサーバ装置とを備えた画像処理システムであって、
画像処理装置は、
新たに画像データを生成する画像データ生成部と、
新たに生成された画像データを自装置内に保存するとともに、当該画像データ及び属性情報を識別情報とともにサーバ装置に送信する保存送信部と、
自装置内に保存されている画像データを識別情報によって管理する管理部と、
サーバ装置からの識別情報を指定した画像処理コマンドにより、自装置内に保存されている画像データのうち識別情報に対応する画像データについて、画像処理コマンドに応じた処理を実行する処理実行部と、を備え、
サーバ装置は、
画像処理装置から識別情報、画像データ及び属性情報を受信した場合、識別情報に関連付けて画像データ及び属性情報を保存する保存部と、
画像を表示する表示部と、
保存されている画像データを表示部に表示させる表示制御部と、
処理対象とする画像及び当該画像に対する処理内容の指示をユーザから受け付ける受付部と、
受付部によってユーザからの指示を受け付けた場合、指示された画像に対応する識別情報を含み、指示された処理内容の実行を要求する画像処理コマンドを画像処理装置に送信する画像処理コマンド送信部と、
を備える画像処理システム。
【請求項５】
画像処理装置は、
サーバ装置からの画像処理コマンドで指定された識別情報に対応する画像データが自装置内に保存されていない場合、画像処理コマンドの送信元であるサーバ装置に不存在レスポンスを返す返信部と、
画像処理コマンドの送信元であるサーバ装置から識別情報及び画像データとともに画像保存コマンドを受信した場合、受信した画像データを、受信した識別情報に関連付けて保存する新規保存部と、を備え、
サーバ装置は、
画像処理装置から不存在レスポンスを受信した場合、識別情報及び画像データとともに画像保存コマンドを画像処理装置に送信する画像保存コマンド送信部と、
を備える請求項４に記載の画像処理システム。
【請求項６】
前記保存送信部は、新たに生成された画像データとともに属性情報を自装置内に保存し、
前記管理部は、自装置内に保存されている画像データ及び属性情報を識別情報によって管理する請求項４又は５に記載の画像処理システム。
【請求項７】
新たに画像データを生成する画像データ生成ステップと、
新たに生成された画像データを自装置内に保存するとともに、当該画像データ及び属性情報を識別情報とともに外部のサーバ装置に送信する保存送信ステップと、
自装置内に保存されている画像データを識別情報によって管理する管理ステップと、
外部のサーバ装置からの識別情報を指定した画像処理コマンドにより、自装置内に保存されている画像データのうち識別情報に対応する画像データについて、画像処理コマンドに応じた処理を実行する処理実行ステップと、を備える画像処理方法。
【請求項８】
外部のサーバ装置からの画像処理コマンドで指定された識別情報に対応する画像データが自装置内に保存されていない場合、画像処理コマンドの送信元である外部のサーバ装置に不存在レスポンスを返す返信ステップと、
画像処理コマンドの送信元である外部のサーバ装置から識別情報及び画像データとともに画像保存コマンドを受信した場合、受信した画像データを、受信した識別情報に関連付けて保存する新規保存ステップと、を備える請求項７に記載の画像処理方法。
【請求項９】
前記保存送信ステップでは、新たに生成された画像データとともに属性情報を自装置内に保存し、
前記管理ステップでは、自装置内に保存されている画像データ及び属性情報を識別情報によって管理する請求項７又は８に記載の画像処理方法。
【請求項１０】
請求項７〜９のいずれかに記載の画像処理方法をコンピュータに実行させるためのコンピュータで読み取り可能なプログラムコードを有する画像処理プログラム。
【請求項１１】
画像処理装置と、当該画像処理装置と通信可能に接続されたサーバ装置とを備えた画像処理システムにおける画像処理方法であって、
画像処理装置において新たに画像データを生成する画像データ生成ステップと、
新たに生成された画像データを画像処理装置内に保存するとともに、当該画像データ及び属性情報を識別情報とともにサーバ装置に送信する保存送信ステップと、
画像処理装置内に保存されている画像データを識別情報によって管理する管理ステップと、
サーバ装置において画像処理装置から識別情報、画像データ及び属性情報を受信した場合、識別情報に関連付けて画像データ及び属性情報を保存する保存ステップと、
サーバ装置において保存されている画像データを表示部に表示させる表示ステップと、
サーバ装置において処理対象とする画像及び当該画像に対する処理内容の指示をユーザから受け付ける受付ステップと、
サーバ装置において受付ステップによってユーザからの指示を受け付けた場合、指示された画像に対応する識別情報を含み、指示された処理内容の実行を要求する画像処理コマンドを画像処理装置に送信する画像処理コマンド送信ステップと、
画像処理装置においてサーバ装置からの識別情報を指定した画像処理コマンドを受信した場合、自装置内に保存されている画像データのうち識別情報に対応する画像データについて、画像処理コマンドに応じた処理を実行する処理実行ステップと、を備える画像処理方法。
【請求項１２】
サーバ装置からの画像処理コマンドで指定された識別情報に対応する画像データが自装置内に保存されていない場合、画像処理コマンドの送信元であるサーバ装置に不存在レスポンスを返す返信ステップと、
画像処理コマンドの送信元であるサーバ装置から識別情報及び画像データとともに画像保存コマンドを受信した場合、受信した画像データを、受信した識別情報に関連付けて保存する新規保存ステップと、を備える請求項１１に記載の画像処理方法。
【請求項１３】
前記保存送信ステップでは、新たに生成された画像データとともに属性情報を画像処理装置内に保存し、
前記管理ステップでは、画像処理装置内に保存されている画像データ及び属性情報を識別情報によって管理する請求項１１又は１２に記載の画像処理方法。
【請求項１４】
請求項１１〜１３のいずれかに記載の画像処理方法をコンピュータに実行させるためのコンピュータで読み取り可能なプログラムコードを有する画像処理プログラム。
【発明の詳細な説明】
【技術分野】
【０００１】
本発明は、新たに生成された画像データを処理する画像処理装置、画像処理システム、画像処理方法、及び、画像処理プログラムに関する。
【背景技術】
【０００２】
ファクシミリ通信機能及びスキャン機能を備えるデジタル複合機において、ファクシミリ送受信又はスキャンによって新たな画像データが生成された場合、画像データ及び属性情報をＬＡＮ経由でサーバ装置に転送することが知られている。例えばファクシミリ受信の場合、属性情報は、送信元及び通信開始時刻を含む。デジタル複合機は、画像データ及び属性情報をサーバ装置に転送後、転送が完了した画像データ及び属性情報を自装置内部の記憶部から消去する。
【０００３】
デジタル複合機が画像データ及び属性情報を転送後に消去するため、転送後において、画像データをデジタル複合機からファクシミリ送信したり、又は、デジタル複合機においてプリントしたりする場合には、サーバ装置がファクシミリ送信又はプリントを指示するコマンドとともに画像データをデジタル複合機に送信する（書き戻す）必要がある。
【０００４】
この場合、次の３つの問題がある。第１の問題は、書き戻し処理を行う時間が無駄である。第２の問題は、デジタル複合機から画像データをサーバ装置に転送する処理において、デジタル複合機のハードウェアの制限によってデータ変換がなされることにより、或いは、サーバ装置にて処理（表示）可能なデータに変換されることにより、画質の劣化が起こることである。例えば、ここでのデータ変換処理は、解像度低下処理である。第３の問題は、サーバ装置からデジタル複合機に画像データを転送する処理において、デジタル複合機にて処理可能なデータに変換されることにより、画質の劣化が起こることである。また、その変換処理によってデジタル複合機のＣＰＵパワーが浪費されることである。
【０００５】
以上の技術に関連して、例えば、特許文献１には、ファクシミリ装置は、ファクシミリ受信したとき、画像データは送信せずに自装置内に記憶しておき、属性情報のみをサーバ装置へ送信し、送信後にサーバ装置から送信要求があると、ファクシミリ装置内に記憶している画像データをサーバ装置に送信することが記載されている。
【先行技術文献】
【特許文献】
【０００６】
【特許文献１】特開２０１０−１７７９５８号公報
【発明の概要】
【発明が解決しようとする課題】
【０００７】
特許文献１に開示されているシステムでは、１回目の送信（ファクシミリ装置からサーバ装置への送信）において、サーバ装置に属性情報しか送信されないため、サーバ装置のユーザがファクシミリ装置に送信要求を行うか否かを決めるとき、属性情報のみから判断する必要がある。すなわち、画像内容を見て判断することができない。
【０００８】
そこで、本発明は、上記のような第１〜第３の問題が発生することを抑制しつつ、画像処理装置で生成された画像データがサーバ装置に送信された後、サーバ装置のユーザが画像内容を見て、処理対象画像を選択するとともに処理方法を決定し、決定した処理方法を実行するための指示を画像処理装置に送信できるようにすることを目的とする。
【課題を解決するための手段】
【０００９】
以下に、課題を解決するための手段として複数の態様を説明する。これら態様は、必要に応じて任意に組み合わせることができる。本発明に係る画像処理装置は、画像データ生成部と保存送信部と管理部と処理実行部とを備える。画像データ生成部は、新たに画像データを生成する。保存送信部は、新たに生成された画像データを自装置内に保存するとともに、当該画像データ及び属性情報を識別情報とともに外部のサーバ装置に送信する。管理部は、自装置内に保存されている画像データを識別情報によって管理する。処理実行部は、外部のサーバ装置からの識別情報を指定した画像処理コマンドにより、自装置内に保存されている画像データのうち識別情報に対応する画像データについて、コマンドに応じた処理を実行する。
【００１０】
これにより、上述した第１〜第３の問題が発生することを抑制しつつ、サーバ装置のユーザが画像処理装置に画像処理指示を行うとき、画像処理装置から画像データを取得することなく、画像内容を見て画像選択及び処理方法の決定が行える。
【００１１】
また、返信部と新規保存部とをさらに備えることが好ましい。返信部は、外部のサーバ装置からの画像処理コマンドで指定された識別情報に対応する画像データが自装置内に保存されていない場合、画像処理コマンドの送信元である外部のサーバ装置に不存在レスポンスを返す。新規保存部は、画像処理コマンドの送信元である外部のサーバ装置から識別情報及び画像データとともに画像保存コマンドを受信した場合、受信した画像データを、受信した識別情報に関連付けて保存する。
【００１２】
これにより、サーバ装置からの画像処理コマンドで指定された画像データが画像処理装置内に存在しない場合であっても、画像処理装置が自動的にサーバ装置から画像データを取得して保存することができる。
【００１３】
また、前記保存送信部は、新たに生成された画像データとともに属性情報を自装置内に保存し、前記管理部は、自装置内に保存されている画像データ及び属性情報を識別情報によって管理することが好ましい。
【００１４】
これにより、画像処理装置の管理部は、識別情報によって画像データだけでなく属性情報も管理できる。
【００１５】
本発明に係る画像処理システムは、画像処理装置と、当該画像処理装置と通信可能に接続されたサーバ装置とを備える。
【００１６】
画像処理システムにおける画像処理装置は、画像データ生成部と保存送信部と管理部と処理実行部とを備える。画像データ生成部は、新たに画像データを生成する。保存送信部は、新たに生成された画像データを自装置内に保存するとともに、当該画像データ及び属性情報を識別情報とともにサーバ装置に送信する。管理部は、自装置内に保存されている画像データを識別情報によって管理する。処理実行部は、サーバ装置からの識別情報を指定した画像処理コマンドにより、自装置内に保存されている画像データのうち識別情報に対応する画像データについて、画像処理コマンドに応じた処理を実行する。
【００１７】
画像処理システムにおけるサーバ装置は、保存部と表示部と表示制御部と受付部と画像処理コマンド送信部とを備える。保存部は、画像処理装置から識別情報、画像データ及び属性情報を受信した場合、識別情報に関連付けて画像データ及び属性情報を保存する。表示部は、画像を表示する。表示制御部は、保存されている画像データを表示部に表示させる。受付部は、処理対象とする画像及び当該画像に対する処理内容の指示（選択）をユーザから受け付ける。画像処理コマンド送信部は、受付部によってユーザからの指示を受け付けた場合、指示された画像に対応する識別情報を含み、指示された処理内容の実行を要求する画像処理コマンドを画像処理装置に送信する。
【００１８】
また、画像処理装置は、返信部と新規保存部とをさらに備え、サーバ装置は、画像保存コマンド送信部をさらに備えることが好ましい。返信部は、サーバ装置からの画像処理コマンドで指定された識別情報に対応する画像データが自装置内に保存されていない場合、画像処理コマンドの送信元であるサーバ装置に不存在レスポンスを返す。新規保存部は、画像処理コマンドの送信元であるサーバ装置から識別情報及び画像データとともに画像保存コマンドを受信した場合、受信した画像データを、受信した識別情報に関連付けて保存する。画像保存コマンド送信部は、画像処理装置から不存在レスポンスを受信した場合、識別情報及び画像データとともに画像保存コマンドを画像処理装置に送信する。
【００１９】
また、前記保存送信部は、新たに生成された画像データとともに属性情報を自装置内に保存し、前記管理部は、自装置内に保存されている画像データ及び属性情報を識別情報によって管理することが好ましい。
【００２０】
本発明に係る画像処理方法は、画像データ生成ステップと保存送信ステップと管理ステップと処理実行ステップとを備える。画像データ生成ステップは、新たに画像データを生成する。保存送信ステップは、新たに生成された画像データを自装置内に保存するとともに、当該画像データ及び属性情報を識別情報とともに外部のサーバ装置に送信する。管理ステップは、自装置内に保存されている画像データを識別情報によって管理する。処理実行ステップは、外部のサーバ装置からの識別情報を指定した画像処理コマンドにより、自装置内に保存されている画像データのうち識別情報に対応する画像データについて、画像処理コマンドに応じた処理を実行する。
【００２１】
本発明に係る画像処理方法は、画像処理装置と、当該画像処理装置と通信可能に接続されたサーバ装置とを備えた画像処理システムにおける画像処理方法である。画像処理方法は、画像データ生成ステップと保存送信ステップと管理ステップと保存ステップと表示ステップと受付ステップと画像処理コマンド送信ステップと処理実行ステップとを備える。画像データ生成ステップは、画像処理装置において新たに画像データを生成する。保存送信ステップは、新たに生成された画像データを画像処理装置内に保存するとともに、当該画像データ及び属性情報を識別情報とともにサーバ装置に送信する。管理ステップは、画像処理装置内に保存されている画像データを識別情報によって管理する。保存ステップは、サーバ装置において画像処理装置から識別情報、画像データ及び属性情報を受信した場合、識別情報に関連付けて画像データ及び属性情報を保存する。表示ステップは、サーバ装置において保存されている画像データを表示部に表示させる。受付ステップは、サーバ装置において処理対象とする画像及び当該画像に対する処理内容の指示をユーザから受け付ける。画像処理コマンド送信ステップは、サーバ装置において受付ステップによってユーザからの指示を受け付けた場合、指示された画像に対応する識別情報を含み、指示された処理内容の実行を要求する画像処理コマンドを画像処理装置に送信する。処理実行ステップは、画像処理装置においてサーバ装置からの識別情報を指定した画像処理コマンドを受信した場合、自装置内に保存されている画像データのうち識別情報に対応する画像データについて、画像処理コマンドに応じた処理を実行する。
【００２２】
また、画像処理方法は、返信ステップと新規保存ステップとをさらに備えることが好ましい。返信ステップは、サーバ装置からの画像処理コマンドで指定された識別情報に対応する画像データが自装置内に保存されていない場合、画像処理コマンドの送信元であるサーバ装置に不存在レスポンスを返す。新規保存ステップは、画像処理コマンドの送信元であるサーバ装置から識別情報及び画像データとともに画像保存コマンドを受信した場合、受信した画像データを、受信した識別情報に関連付けて保存する。
【００２３】
また、前記保存送信ステップでは、新たに生成された画像データとともに属性情報を自装置内に保存し、前記管理ステップでは、自装置内に保存されている画像データ及び属性情報を識別情報によって管理することが好ましい。
【００２４】
本発明に係る画像処理プログラムは、前記画像処理方法をコンピュータに実行させるためのコンピュータで読み取り可能なプログラムコードを有する。
【発明の効果】
【００２５】
本発明によれば、上記のような第１〜第３の問題が発生することを抑制しつつ、画像処理装置で生成された画像データがサーバ装置に送信された後、サーバ装置のユーザが画像内容を見て、処理対象画像を選択するとともに処理方法を決定し、決定した処理方法を実行するための指示を画像処理装置に送信することができる。
【図面の簡単な説明】
【００２６】
【図１】本実施形態の画像処理システムの概略構成を示す図である。
【図２】画像処理システムの機能構成を示す機能ブロック図である。
【図３】新たに画像データが生成されたときの画像保存処理を示すシーケンスチャートである。
【図４】画像ＩＤを指定して印刷を行う処理であって、指定された画像データがデジタル複合機のストレージ内に存在する場合の処理を示すシーケンスチャートである。
【図５】画像ＩＤを指定して印刷を行う処理であって、指定された画像データがデジタル複合機のストレージ内に存在しない場合の処理を示すシーケンスチャートである。
【図６】画像処理対象の画像データ及び画像処理内容をユーザが選択するための選択画面を示す画面図である。
【発明を実施するための形態】
【００２７】
以下に説明する実施形態では、画像処理装置と、当該画像処理装置と通信可能に接続されたサーバ装置とを備えた画像処理システムについて説明する。
【００２８】
図１に示す通り、画像処理システムは、デジタル複合機１（画像処理装置）とサーバ装置（ＰＣ）２とを含む。デジタル複合機１とサーバ装置２とは、ＬＡＮ３を介して通信可能に接続されている。また、デジタル複合機１には、ＰＳＴＮ（公衆電話回線）４を介して、デジタル複合機５，６が接続されている。デジタル複合機１は、ＰＳＴＮ４を介して、デジタル複合機５，６から画像データをファクシミリ受信することができる。また、デジタル複合機１は、ＰＳＴＮ４を介して、デジタル複合機５，６に画像データをファクシミリ送信することができる。  
【００２９】
図２は、デジタル複合機１及びサーバ装置２の機能構成を示す。デジタル複合機１は、制御部１０、画像読取部１１、画像送信部１２、画像受信部１３、画像記憶部１４、画像転送部１８、画像管理部１９、及び、画像印刷部２０を含む。画像記憶部１４は、読取画像記憶部１５、受信画像記憶部１６、及び、送信画像記憶部１７を含む。  
【００３０】
制御部１０は、以下に説明する各部を統括的に制御する。また、制御部１０は、画像読取処理、画像受信処理、又は、画像送信処理に伴って新たに画像データが生成されたとき、他の文書データと識別性を有する画像ＩＤ（識別情報）を新たに生成する。画像読取部１１は、セットされた原稿の画像を光学的に読取り、読取画像データを生成するスキャナである。画像読取部１１は、原稿を搬送しながら原稿画像を読み取るシートスルータイプ、又は、光源等を搭載したキャリッジを移動させながら静止した原稿の画像を読み取る静止原稿タイプのいずれでもよい。画像読取部１１を用いることにより、原稿画像を読み取り、その読取画像データを出力する画像スキャンを実行できる。  
【００３１】
画像送信部１２は、画像データを他のデジタル複合機（例えば、デジタル複合機６）に送信する。例えば、画像読取部１１によって生成した読取画像データが画像送信部１２からデジタル複合機６へファクシミリ送信される。画像受信部１３は、画像データを他のデジタル複合機（例えば、デジタル複合機５）から受信する。例えば、画像受信部１３によって受信した画像データが後述する画像印刷部２０によって印刷される。尚、デジタル複合機１とデジタル複合機５，６との間の通信方法はファクシミリ通信には限定されず、例えば電子メール通信等、他の通信方法でもよい。  
【００３２】
画像記憶部１４は、画像読取処理、画像受信処理、又は、画像送信処理に伴って生成された画像データを記憶（保存）する。このときの記憶制御は制御部１０が行う。画像記憶部１４は、読取画像記憶部（読取ボックス）１５、受信画像記憶部（受信ボックス）１６、及び、送信画像記憶部（送信ボックス）１７を含み、読取画像データ、受信画像データ、及び、送信画像データがそれぞれ区別して記憶される。読取画像記憶部１５は、画像読取処理に伴って生成された画像データを記憶する。受信画像記憶部１６は、画像受信処理に伴って生成された画像データを記憶する。送信画像記憶部１７は、画像送信処理に伴って生成された画像データを記憶する。  
【００３３】
画像読取処理、画像受信処理、又は、画像送信処理に伴って新たな画像データが生成されたとき、その画像データは後述する画像転送部１８によって、後述する画像ＩＤ及び画像属性とともにサーバ装置２に転送されるとともに、画像ＩＤ及び画像属性と関連付けて画像記憶部１４に記憶（保存）される。このとき画像データは読取画像記憶部１５、受信画像記憶部１６、又は、送信画像記憶部１７のいずれかに記憶される。尚、画像記憶部１４に画像データを記憶するとき、画像ＩＤを関連付けて記憶することは必須であるが、画像属性を関連付けることは必須ではない。従って、変形例として、画像属性は記憶せず、画像ＩＤと関連付けて画像データのみを記憶するようにしてもよい。例えば、画像記憶部１４は、不揮発性のストレージデバイスである。  
【００３４】
画像転送部１８は、画像読取処理、画像受信処理、又は、画像送信処理に伴って新たに画像データが生成されたとき、画像ＩＤ、画像属性、及び、画像データをＬＡＮ３経由でサーバ装置２に転送する。すなわち、画像転送部１８は、新たに画像データが生成されたとき、制御部１０によって新たに生成された画像ＩＤを付与して、画像属性、及び、画像データをサーバ装置２に送信する。このときの通信方法も特に限定されず、ＬＡＮ３経由でデータ通信が行える通信方法を採用できる。尚、画像転送部１８は、生成された文書単位、すなわち、画像読取ジョブ、画像受信ジョブ、又は、画像送信ジョブのジョブ単位で画像ＩＤを付与する。  
【００３５】
画像属性は、画像データの生成に関する属性情報であり、画像データの種類（発生原因）を含む。画像データの種類とは、その画像データが読取画像データ、受信画像データ、又は、送信画像データのいずれであるかを示す情報である。  
【００３６】
例えば、画像読取処理によって新たに画像データが生成された場合、画像属性は、ユーザＩＤ、及び、読取開始時刻情報を含む。このユーザＩＤは、画像読取処理を指示したユーザを示すものであり、ログイン時に入力された情報から識別できる。  
【００３７】
また、画像受信処理によって新たに画像データが生成された場合、画像属性は、送信元情報及び通信開始時刻情報を含むことができる。ここで送信元情報は、画像受信時に受信するファクシミリ通信手順信号に含まれる。さらに、画像属性は、通信結果情報及びページ数情報を含むこともできる。  
【００３８】
また、画像送信処理によって新たに画像データが生成された場合、画像属性は、ユーザＩＤ、送信先情報、及び、通信開始時刻情報を含むことができる。さらに、画像属性は、通信結果情報及びページ数情報を含むこともできる。このユーザＩＤも画像送信処理を指示したユーザを示すものであり、ログイン時に入力された情報から識別できる。  
【００３９】
画像管理部１９は、画像読取処理、画像受信処理、又は、画像送信処理に伴って生成された画像データを管理する。すなわち、画像管理部１９は、制御部１０によって生成された画像ＩＤに関連付けて、画像属性及び画像データを画像記憶部１４に記憶する。これにより、画像管理部１９は、画像ＩＤが指定されたとき、当該画像ＩＤに対応する画像データを読み出すことができる。  
【００４０】
画像印刷部２０は、画像データを記録紙に印刷するプリンタである。例えば、画像印刷部２０は、電子写真式プリンタ又はインクジェット式プリンタである。画像印刷部２０を用いることにより、画像データを記録紙に印刷し、印刷済記録紙を装置から排出する画像印刷処理を実行できる。  
【００４１】
サーバ装置２は、制御部２１、表示部２２、表示制御部２３、操作部２４、及び、画像記憶部２５を含む。画像記憶部２５は、読取画像記憶部（読取ボックス）２６、受信画像記憶部（受信ボックス）２７、及び、送信画像記憶部（送信ボックス）２８を含む。  
【００４２】
制御部２１は、以下で説明する各部を統括的に制御する。表示部２２は、各種情報を表示するディスプレイである。後述する操作部２４に対して、ユーザからの文書一覧表示指示が入力されたとき、表示部２２には、後述する文書一覧画面が表示される。また、操作部２４に対して、ユーザからのプレビュー表示指示が入力されたとき、表示部２２には、プレビュー用の画像が表示される。ユーザは表示されたプレビュー画像から画像内容を認識できる。例えば、表示部２２は、液晶ディスプレイである。表示制御部２３は、画像データの画像を表示部２２に表示させるための制御を行う。操作部２４は、ユーザが各種指示を入力するためのものである。例えば、操作部２４は、タッチパネルとすることができるが、それに限定されるわけではない。  
【００４３】
画像記憶部２５は、デジタル複合機１から受信した画像ＩＤ、画像属性、及び、画像データを記憶（保存）する。このときの記憶制御は制御部２１が行う。画像記憶部２５は、読取画像記憶部２６、受信画像記憶部２７、及び、送信画像記憶部２８を含み、読取画像データ、受信画像データ、及び、送信画像データがそれぞれ区別して記憶される。制御部２１は、受信した画像属性に基づいて、画像データの種類を判別し、読取画像記憶部２６、受信画像記憶部２７、及び、送信画像記憶部２８のうち、画像データの種類に対応する記憶部に画像データ等を記憶させる。  
【００４４】
詳細は後述するが、制御部２１は、ユーザによって画像が指定されるとともに、画像処理指示が入力されたとき、画像ＩＤ及び画像処理コマンドを含む画像処理指示をＬＡＮ３経由でデジタル複合機１に送信する。このときの通信方法は、デジタル複合機１からサーバ装置２への画像転送時と同じ通信方法を用いることができる。  
【００４５】
次に図３を用いて、新たに画像データが生成されたときの画像保存処理を説明する。まずＳ１では、デジタル複合機１において、保存対象となる画像データが新たに生成される。Ｓ１では、制御部１０が画像読取部１１、画像送信部１２、又は、画像受信部１３を制御することにより、画像スキャン、画像送信、又は、画像受信が実行される。  
【００４６】
次にＳ２では、デジタル複合機１において、新たに画像ＩＤが生成されるとともに、その画像ＩＤに関連付けて、新たに生成された画像データ及びその画像属性が画像記憶部１４（ストレージ）に保存される。Ｓ２では、制御部１０は、新たに画像ＩＤを生成・付与するとともに、その画像ＩＤに関連付けて画像データ及び画像属性を画像記憶部１４に保存するように制御する。  
【００４７】
次にＳ３では、画像ＩＤ、画像データ、及び、画像属性がデジタル複合機１からサーバ装置２に転送される。Ｓ３では、画像転送部１８が画像ＩＤ、画像データ、及び、画像属性をＬＡＮ３経由で転送する。  
【００４８】
次にＳ４では、サーバ装置２において、受信した画像ＩＤに関連付けて、画像データ及び画像属性が画像記憶部２５（ストレージ）に保存される。Ｓ４では、制御部２１は、画像属性に基づいて画像データの種類を判別し、画像データの種類に対応する記憶部に保存するように制御する。  
【００４９】
図３に示すように、デジタル複合機１で新たな画像データが生成された場合、画像ＩＤ、画像属性、及び、画像データがデジタル複合機１内に保存されるとともに、サーバ装置２に転送され、サーバ装置２においても、画像ＩＤ、画像属性、及び、画像データが保存される。  
【００５０】
次に図４を用いて、ユーザがサーバ装置２において、保存されている複数の画像データ（文書）の中から所望の画像データ（文書）を選択し、その選択した画像データをデジタル複合機１から印刷出力するときの処理を説明する。  
【００５１】
まずＳ１１では、サーバ装置２において、ユーザによる画像選択、確認、及び、印刷指示が行われる。ユーザが操作部２４によって所定の文書一覧表示指示入力を行うと、表示部２２に文書一覧画面が表示される。文書一覧表示指示には、文書の種類、すなわち、読取画像、受信画像、又は、送信画像のいずれであるかの指定が含まれる。受信画像を指定した場合に表示される文書一覧画面の一例を図６に示す。  
【００５２】
図６は、受信ボックスに保存されている文書（画像データ）の一覧を表示する画面例である。受信ボックスは、受信画像記憶部２７に相当する。一覧表示部分には、画像属性として、相手先情報（送信元情報）３０、通信結果情報３１、ページ数情報３２、及び、日付情報（通信開始時刻情報）３３が表示されている。これら画像属性は、デジタル複合機１から画像データとともに受信した情報である。  
【００５３】
文書一覧において、いずれかの文書のプレビューが指定されると、表示制御部２１は、指定された文書の画像データを受信画像記憶部２７から読み出し、表示部２２に画像を表示させる。これによりサーバ装置２のユーザは、指定した文書の画像内容を画面にて確認することができる。画像データをデジタル複合機１から受信し、サーバ装置２の内部に保存しているため、サーバ装置２でプレビュー表示するとき、デジタル複合機１から画像データを受信する必要がなく
、迅速にプレビュー表示できる。尚、プレビューを指定する場合、文書一覧における各文書（各行）の相手先情報部分３４を指定すればよい。  
【００５４】
図６の一覧画面において、左下部分には、保存されている合計文書数情報（４個）３５と未読文書数情報（２個）３６とが表示されている。一覧表示部分において、未読文書と既読文書とで表示色を変える等により、ユーザが視覚的に未読文書と既読文書とを区別できるようになっている。  
【００５５】
図６の一覧画面は、さらに一覧表示部分の左端において、チェックボックス３７を含む。このチェックボックスは、各文書（各行）にそれぞれ存在し、ユーザがチェックを付した文書が指定されるようになっている。複数文書の同時指定も可能になっている。最上位のチェックボックスにチェックを入れると、全ての文書が一括して指定される。また、全ての文書が指定された状態において、最上位のチェックボックスをチェックすると、全ての文書の指定が解除された状態に切り替わる。このようにサーバ装置２のユーザは、チェックボックス３７を用いて、一覧中の複数の文書から所望の文書を選択することができる。  
【００５６】
また図６の一覧画面は、画像処理指示キー３８、３９、４０を含む。３８は印刷指示キー、３９は送信指示キー、４０は削除指示キーである。サーバ装置２のユーザは、チェックボックス３７を用いて文書を選択した後、いずれかの画像処理指示キーを選択することにより、デジタル複合機１に保存されている文書のうち、該当する文書について、所望の画像処理（印刷、送信、又は、削除）を実行することができる。  
【００５７】
図４に戻り、Ｓ１１では、上述したように、ユーザが文書一覧画面において画像選択操作、画像内容確認操作（画像プレビュー）、及び、印刷指示操作が行える。ユーザが所望の文書を選択し、印刷指示キー３８によって印刷指示操作を行うと、Ｓ１２では、画像ＩＤを含む印刷指示コマンドがサーバ装置２からデジタル複合機１に送信される。この画像ＩＤは、Ｓ１１においてユーザが指定した文書に相当する画像ＩＤである。この印刷指示コマンドは、デジタル複合機１に、指定した文書を受信画像記憶部１６から読み出して印刷する処理を実行させるためのコマンドである。デジタル複合機１において画像データを保存しているため、印刷指示コマンドを送信するとき、サーバ装置２からデジタル複合機１に画像データを送信する必要がなく、処理の迅速化及びネットワーク負荷の軽減を実現できる。  
【００５８】
次にＳ１３では、デジタル複合機１において、画像記憶部１４の中に該当する文書（画像データ）が存在するか否かが確認される。すなわち、画像管理部１９は、サーバ装置２から印刷指示コマンドとして受信した画像ＩＤに相当する文書が画像記憶部１４（受信画像記憶部１６）に存在するか否かを判定する。図４の例では、存在する場合を示すので、Ｓ１４では、デジタル複合機１からサーバ装置２に印刷指示コマンド受付レスポンスを返す。この印刷指示コマンド受付レスポンスは、サーバ装置２からの印刷指示コマンドを正常に受信し、コマンド内容に従って印刷を実行することをサーバ装置２に通知するためのものである。  
【００５９】
次にＳ１５では、デジタル複合機１において、印刷指示コマンドで指定されている画像ＩＤに対応する画像データが画像記憶部１４（受信画像記憶部１６）から読み出されて印刷される。すなわち、画像管理部１９は、サーバ装置２から印刷指示コマンドとして受信した画像ＩＤに相当する文書を画像記憶部１４（受信画像記憶部１５）から読み出し、制御部１０は、読み出した画像データについて画像印刷部２０によって印刷を実行する。このとき、サーバ装置２から受信した画像データを印刷するのではなく、画像記憶部１４から読み出した画像データを印刷するので、迅速且つ確実に印刷を実行できる。  
【００６０】
次に図５を用いて、印刷指示コマンドで指定された画像ＩＤに相当する文書がデジタル複合機１内に存在しない場合の処理の流れを説明する。まずＳ２１では、サーバ装置２において、ユーザによる画像選択、確認、及び、印刷指示が行われる。次にＳ２２において、サーバ装置２からデジタル複合機１に印刷指示コマンドが送信される。Ｓ２１，２２は、図４のＳ１１，１２と同様の処理であるため、詳細な説明は省略する。  
【００６１】
次にＳ２３では、デジタル複合機１において、画像記憶部１４の中に該当する文書（画像データ）が存在するか否かが確認される。すなわち、画像管理部１９は、サーバ装置２から印刷指示コマンドとして受信した画像ＩＤに相当する文書が画像記憶部１４（受信画像記憶部１６）に存在するか否かを判定する。図５の例では、存在しない場合を示すので、Ｓ２４では、デジタル複合機１からサーバ装置２に不存在レスポンスを返す。この不存在レスポンスは、サーバ装置２から印刷指示コマンドを受信したが、その印刷指示コマンドに含まれる画像ＩＤに相当する文書（画像データ）がデジタル複合機１（画像記憶部１４）内に保存されていないことをサーバ装置２に通知するためのものである。  
【００６２】
次にＳ２５では、サーバ装置２からデジタル複合機１に画像保存コマンド及び画像データが送信される。すなわち、サーバ装置２は、デジタル複合機１に印刷指示コマンドを送信した後（Ｓ２２）、デジタル複合機１から不存在レスポンスを受信した場合（Ｓ２４）、直前に送信した印刷指示コマンドに含まれる画像ＩＤに対応する画像データとともに画像保存コマンドをデジタル複合機１に送信する（Ｓ２５）。画像保存コマンドは、画像ＩＤ及び画像属性を含む。すなわち、制御部２１は、画像ＩＤ及び画像属性を含む画像保存コマンドを画像データとともにデジタル複合機１に送信する。  
【００６３】
次にＳ２６では、デジタル複合機１において、サーバ装置２から受信した画像保存コマンドに従って、画像保存コマンドとして受信した画像ＩＤと関連付けて、同時に受信した画像データが画像記憶部１４（ストレージ）に保存される。すなわち、画像管理部１９は、受信した画像属性に基づいて、画像データの種類を判別し、読取画像記憶部１５、受信画像記憶部１６、又は、送信画像記憶部１７のうち、画像データの種類に対応する記憶部に画像データを記憶（保存）する。このとき画像管理部１９は、同時に受信した画像ＩＤ及び画像データを関連付けて記憶する。上述したように、画像属性も関連付けて記憶するか否かは任意である。  
【００６４】
次にＳ２７では、デジタル複合機１からサーバ装置２に保存完了通知が送信される。この保存完了通知は、サーバ装置２からデジタル複合機１に送信された画像保存コマンドに従って、デジタル複合機１の画像記憶部１４に画像データが正常に保存されたことをサーバ装置２に通知するためのものである。  
【００６５】
次にＳ２８では、サーバ装置２からデジタル複合機１に画像ＩＤを含む印刷指示コマンドが送信される。この印刷指示コマンドは、Ｓ２２で送信された印刷指示コマンドと同様である。このようにサーバ装置２は、画像保存コマンドとともに画像データをデジタル複合機１に送信した後（Ｓ２５）、デジタル複合機１から保存完了通知を受信した場合（Ｓ２７）、直前に送信した印刷指示コマンドと同じ印刷指示コマンドを再度デジタル複合機１に送信する（Ｓ２８）。  
【００６６】
Ｓ２９では、デジタル複合機１において、画像記憶部１４の中に該当する文書（画像データ）が存在するか否かが確認される。すなわち、画像管理部１９は、サーバ装置２から印刷指示コマンドとして受信した画像ＩＤに相当する文書が画像記憶部１４（受信画像記憶部１６）に存在するか否かを判定する。  
【００６７】
Ｓ２６で画像保存コマンドに従って保存しているので、Ｓ３０では、デジタル複合機１からサーバ装置２に印刷指示コマンド受付レスポンスを返す。この印刷指示コマンド受付レスポンスは、図４のＳ１４と同様である。  
【００６８】
次にＳ３１では、デジタル複合機１において、印刷指示コマンドで指定されている画像ＩＤに対応する画像データが画像記憶部１４（受信画像記憶部１６）から読み出されて印刷される。この印刷処理は、図４のＳ１５と同様である。  
【００６９】
このように図５の例では、何らかの事情によって、印刷指示コマンドの画像ＩＤに対応する文書がデジタル複合機１内に存在しない場合であっても、画像保存コマンドを用いて、サーバ装置２から送信した画像データを自動的にデジタル複合機１に保存できるので、サーバ装置２のユーザが文書一覧画面において選択した文書を確実に印刷することができる。  
【００７０】
以上の例では、図６の文書一覧画面で印刷指示キー３８を選択して印刷指示コマンドをサーバ装置２からデジタル複合機１に送信した場合について説明したが、送信指示キー３９が選択された場合、印刷指示コマンドの代わりに送信指示コマンドが送信される。送信指示コマンドには、画像ＩＤだけでなく、送信先情報が含まれる。送信指示キー３９を選択した後に送信先入力画面が表示され、その送信先入力画面を用いて送信先が入力できる。デジタル複合機１は、送信指示コマンドを受信した場合、該当する文書を画像記憶部１４から読み出して、送信指示コマンドで指定された送信先にファクシミリ送信する。  
【００７１】
また、削除指示キー４０が選択された場合、印刷指示コマンドの代わりに削除指示コマンドが送信される。削除指示コマンドは、画像ＩＤを含む。デジタル複合機１は、削除指示コマンドを受信した場合、該当する文書を画像記憶部１４から削除する。  
【００７２】
さらに以上の例では、デジタル複合機１からサーバ装置２に画像ＩＤ、画像データ、及び、画像属性が送信され（Ｓ３）、その後、サーバ装置２においてユーザによる画像選択、確認、及び、印刷指示がなされた後（Ｓ１１）、サーバ装置２からデジタル複合機１に画像ＩＤを含む印刷指示コマンドが送信される（Ｓ１２）例を説明した。すなわち、以上の例では、Ｓ３での送信先装置とＳ１２の送信元装置とがいずれも同じ装置（サーバ装置２）である例を説明したが、それに限定されることはない。  
【００７３】
変形例として、Ｓ３の送信先装置を第１のサーバ装置とし、その後、第１のサーバ装置から第２のサーバ装置に画像ＩＤ、画像データ、及び、画像属性を転送し、Ｓ１１及びＳ１２が第２のサーバ装置により実行されるようにしてもよい。すなわち、図３のサーバ装置を第１のサーバ装置とし、図４及び図５のサーバ装置を第２のサーバ装置としてもよい。この変形例では、Ｓ３の送信先装置（第１のサーバ装置）とＳ１２の送信元装置（第２のサーバ装置）とが異なる装置となる。  
【００７４】
以上、本発明の実施形態について説明したが、本発明は上記実施形態に限定されるものではなく、発明の要旨を逸脱しない範囲で種々の変更が可能である。特に、本明細書に記載された複数の実施形態及び変形例は必要に応じて任意に組み合せ可能である。
【産業上の利用可能性】
【００７５】
本発明は、画像処理装置、画像処理システム、画像処理方法、及び、画像処理プログラムに適用可能である。
【符号の説明】
【００７６】
１        デジタル複合機２        サーバ装置３        ＬＡＮ４        ＰＳＴＮ５        デジタル複合機６        デジタル複合機１０、２１  制御部１１      画像読取部１２      画像送信部１３      画像受信部１４、２５  画像記憶部１５、２６  読取画像記憶部１６、２７  受信画像記憶部１７、２８  送信画像記憶部１８        画像転送部１９        画像管理部２０        画像印刷部２２        表示部２３        表示制御部２４        操作部
３０        相手先情報（送信元情報）
３１        通信結果情報
３２        ページ数情報
３３        日付情報（通信開始時刻情報）
３４        相手先情報部分
３５        合計文書数情報
３６        未読文書数情報
３７        チェックボックス
３８        印刷指示キー
３９        送信指示キー
４０        削除指示キー
【図１】
2013191949.tif 000003
【図２】
2013191949.tif 000004
【図３】
2013191949.tif 000005
【図４】
2013191949.tif 000006
【図５】
2013191949.tif 000007
【図６】
2013191949.tif 000008